(57)【特許請求の範囲】
【請求項１】
紙幣を収納待機位置まで搬送する紙幣搬送手段および紙幣搬送路と、
紙幣を前記収納待機位置において水平姿勢で停止するように前記紙幣搬送手段を制御する紙幣停止位置制御手段と、
前記収納待機位置にある紙幣を該紙幣の上面側から略垂直下方に押し込んで積載収納する紙幣収納手段および紙幣収納部とを具え、
前記紙幣収納手段は、
前記収納待機位置にある紙幣の上面に当接するリフトテーブルと、
該リフトテーブルを略垂直上下方向に移動するためのパンタグラフ構造の交叉するリンク機構と、
該リンク機構を駆動するための駆動手段と、
前記リフトテーブルを常時上方に付勢する付勢手段とからなる紙幣処理装置において、
前記駆動手段は、水平方向に往復スライド移動して、かつ、前記リンク機構の交叉点に配したスタックローラを移動させるスタックアームを有し、
水平方向に突出するリブ状の突起部を該スタックアームに形成し、
前記突起部と嵌合する門形状の受部を前記リフトテーブルの上面に形成し、
待機状態においては、前記突起部が前記受部に嵌合し、
前記スタックアームが移動して前記スタックローラに当接するまでの間に、前記スタックアームの移動に伴って前記突起部が前記受部から外れて嵌合が解除されることを特徴とする紙幣処理装置。
【発明の詳細な説明】
【技術分野】
【０００１】
本発明は、自動販売機、ゲーム機器等の機器に搭載される紙幣処理装置を構成し、リフトテーブルによる押圧で紙幣を収納する紙幣収納手段に関し、特に、リフトテーブルの待機状態を維持する技術に関する。
【背景技術】
【０００２】
一般に、紙幣を取り扱う自動販売機等の機器本体内部には、投入された紙幣が真券であるか否かを判別するとともに、真券と判別された紙幣のみを積載収容するようにした紙幣処理装置が搭載されている。
【０００３】
この紙幣処理装置は、大別すると、紙幣投入口から投入された紙幣を装置本体内部へ搬送する紙幣搬送手段および紙幣搬送路と、搬送された紙幣の真偽を識別する紙幣識別手段を有する紙幣識別部と、真券と判別された紙幣を積載収容する紙幣収納手段を有する紙幣収納部とを有して構成されるものであり、例えば、特許文献１（特開平７−２７２０６３号公報）等に示すように、紙幣識別部と紙幣収納部とが一体的に設けられるものが開発されている。
【０００４】
上記紙幣処理装置の紙幣収納手段は、紙幣搬送路に連通するリフトテーブルと、該リフトテーブルの水平姿勢を維持したまま垂直方向へ上下動させるパンタグラフ構造のリンク機構と、該リンク機構を駆動させる駆動手段とからなるものが一般的であり、前記リンク機構における交叉するリンクアームの交叉点にスタックローラを配し、該スタックローラに接する傾斜面を有したスタックアームを具え、該スタックアームを往復スライド移動させた際に、前記スタックローラが前記傾斜面によって、前記往復スライド移動の方向に垂直な方向に移動して、前記リフトテーブルを往復運動させるものである。
【０００５】
そして、該リフトテーブルが、前記紙幣搬送路内の収納待機位置にある紙幣を押圧することによって、前記リフトテーブルの前記紙幣搬送路に対して対向する位置に配設した紙幣収納部に収納するものである。
【０００６】
ところで、紙幣受入および搬送可能な待機状態において、前記リフトテーブルは、前記紙幣搬送路に突出しないことが重要であり、前記リフトテーブルの初期位置に維持するために、前記リフトテーブルと装置内部の所定の位置との間に引張スプリングを設けている。
【０００７】
前記リフトテーブルの初期位置を確実に維持するためには、各部の組立誤差を極力小さくし、前記引張スプリングの引張力を大きくする必要がある。
【０００８】
しかしながら、前記リフトテーブルの待機状態において、外部から悪戯等による衝撃が加わった場合は、前記リフトテーブルが引張スプリングの引張力に抗して紙幣搬送路内に突出し、紙幣詰まりになる虞がある。
【０００９】
また、上記リフトテーブルの紙幣搬送路内への突出を防止するために、前記引張スプリングの引張力を大きくした場合、紙幣収納時における前記スタックアームの駆動力を大きくする必要が生じる。
【先行技術文献】
【特許文献】
【００１０】
【特許文献１】特開平７−２７２０６３号公報
【発明の概要】
【発明が解決しようとする課題】
【００１１】
そこで、本発明は、上述した事情に鑑み、リフトテーブルによる押圧で紙幣を収納する紙幣処理装置において、外部からの衝撃あるいは組立誤差によって、前記リフトテーブルの待機位置が移動することなく、その待機状態を確実に維持することが可能である紙幣処理装置を提供することを目的とする。
【課題を解決するための手段】
【００１２】
上述した課題を解決するために、本発明の紙幣処理装置は、紙幣を収納待機位置まで搬送する紙幣搬送手段および紙幣搬送路と、紙幣を前記収納待機位置において水平姿勢で停止するように前記紙幣搬送手段を制御する紙幣停止位置制御手段と、前記収納待機位置にある紙幣を該紙幣の上面側から略垂直下方に押し込んで積載収納する紙幣収納手段および紙幣収納部とを具え、前記紙幣収納手段は、前記収納待機位置にある紙幣の上面に当接するリフトテーブルと、該リフトテーブルを略垂直上下方向に移動するためのパンタグラフ構造の交叉するリンク機構と、該リンク機構を駆動するための駆動手段と、前記リフトテーブルを常時上方に付勢する付勢手段とからなり、前記駆動手段は、水平方向に往復スライド移動して、かつ、前記リンク機構の交叉点に配したスタックローラを移動させるスタックアームを有し、水平方向に突出するリブ状の突起部を該スタックアームに形成し、前記突起部と嵌合する門形状の受部を前記リフトテーブルの上面に形成し、待機状態においては、前記突起部が前記受部に嵌合し、前記スタックアームが移動して前記スタックローラに当接するまでの間に、前記スタックアームの移動に伴って前記突起部が前記受部から外れて嵌合が解除されるようにしている。
【発明の効果】
【００１３】
このように、スタックアームに形成したリブ状の突起部と、スタックアームに形成したリブ状の突起部とのロックおよびロックの解除は、スタックアームのスライド運動に伴うものであり、このスタックアームのスライド運動の方向は、リフトテーブルが紙幣搬送路内に突出する方向と略直交する方向であるので、リフトテーブルの待機状態を維持する力は、引張スプリングの引張力に比べて非常に大きなものとなる。
【００１４】
したがって、本発明の紙幣処理装置は、外部からの衝撃や組立誤差によってリフトテーブルが待機状態から移動するのを確実に防止することができるものであり、さらに、引張スプリングの引張力を大きくする必要がないので、スタックアームの駆動力を大きくする必要がなく、装置全体の小型軽量化に寄与し、収納紙幣を増加させることが可能である。
【図面の簡単な説明】
【００１５】
【図１】本発明に係る紙幣処理装置において待機状態を示す概略側断面図。
【図２】本発明に係る紙幣処理装置において動作途中を示す概略側断面図。
【図３】本発明に係る紙幣処理装置において紙幣収納時を示す概略側断面図。
【発明を実施するための形態】
【００１６】
以下、本発明に係る紙幣処理装置の実施例を示して詳述する。
図１乃至図３に示す紙幣処理装置１は、紙幣投入口２から投入された紙幣を搬送する紙幣搬送手段３および紙幣搬送路４と、この紙幣搬送路４の途中に配設されて紙幣の位置を検出および紙幣の真偽を識別する図示せぬ紙幣識別手段を有する紙幣識別部５と真券と判別された紙幣を紙幣搬送路４の下流端における所定の位置（収納待機位置と称す）に停止させる紙幣停止位置制御手段６と、商品が購入された際に収納待機位置にある紙幣を上方から押し込んで水平に積載収納する紙幣収納手段７および紙幣収納部８とから主に構成される。
【００１７】
紙幣搬送手段３は、紙幣の両面にそれぞれ当接する搬送ベルト３１および搬送ローラ３２と、これらを駆動する図示せぬモータ等の搬送駆動手段とから構成されるものであり、対向する搬送ベルト３１および搬送ローラ３２によって、紙幣投入口２を上流端とし、紙幣の待機位置を下流端とする紙幣搬送路４を形成している。
【００１８】
そして、紙幣搬送路４の下流端である収納待機位置において、紙幣の搬送方向に対して左右側には、紙幣の長手方向側縁を把持してガイドするスリット（凹溝）を有する一対のスタックガイド９が配設されている。
【００１９】
紙幣収納部８は、紙幣処理装置１本体の下部であってスタックガイド９の下方に設けられ、筐体からなるスタッカー８１と、スタッカー８１内に水平に配置される矩形の板状であって上面に紙幣を積載するスタックプレート８２と、このスタックプレート８２を下面から紙幣搬送路４方向に常時押圧する圧縮スプリング８３とを具備している。
【００２０】
他方、紙幣収納手段７は、スタックガイド９の上方に設けられ、紙幣長と略同一の長さ寸法と一対のスタックガイド９の距離幅よりも狭い幅寸法とを持つ矩形の板状に形成されてスタックプレート８２に対向するよう水平に配置されるリフトテーブル７１と、リフトテーブル７１の水平姿勢を維持したまま垂直方向へ上下動させるパンタグラフ構造のリンク機構７２と、リンク機構７２を駆動する駆動手段７３とから主に構成される。
【００２１】
リンク機構７２は、図示奥行方向に並列して配置される２組のリンク機構７２からなり、それぞれのリンク機構７２は、それぞれ交叉した第１のリンクアーム７４と第２のリンクアーム７５とを有するパンタグラフ方式の機構であって、第１のリンクアーム７４の基端７４ａと、第２のリンクアーム７５の基端７５ａとは、それぞれ紙幣収納装置１本体内部の所定の位置に回転自在に支持され、第１のリンクアーム７４の自由端７４ｂは、リフトテーブル７１の所定の位置に回転自在に支持され、第２のリンクアーム７５の自由端７５ｂは、リフトテーブル７１に沿って図示左右方向にスライド自在かつ回転自在に支持されている。
【００２２】
そして、第１のリンクアーム７４と第２のリンクアーム７５とを、交叉点において回転自在に連結しており、２組のリンクにおけるそれぞれの交叉点を鉛直軸で結ぶようにして、該鉛直軸にはスタックローラ７６を配設している。
【００２３】
駆動手段７３は、図示右方側の先端に傾斜面７７ａを有するスタックアーム７７と、スタックアーム７７を図示左右方向に往復スライドさせるモーターカム７８と、モーターカム７８を回転させる図示せぬモータとを有し、スタック―アーム７７が図示右方向に移動した際に、傾斜面７７ａがスタックローラ７６に当接し（図２）、さらにスタックアーム７７が図示右方に移動した際に、傾斜面７７ａがスタックローラ７６を押圧することによって、スタックローラ７６が下方に移動し、リフトテーブル７１が下方に移動するようにしている（図３）。
【００２４】
このリフトテーブル７１が下方に移動すると、収納待機位置にある紙幣は、スタックガイド９の下面側に押し込められて、スタッカー８１内に収納された状態になるようにしている。
【００２５】
ここで、リフトテーブル７１が、図３に示す最大移動位置に到達した後、逆行を開始し、スタックガイド９まで至ると、前記紙幣の長手方向側縁部は、スタックガイド９の下面に当接してスタッカー８１内に留まる。
【００２６】
そして、スタッカー８１内に積載収納された紙幣は、圧縮スプリング８３に付勢されるスタックプレート８２により、スタックガイド９の下面に押し付けられて、スタックプレート８２の上面とスタックガイド９の下面によって押圧挟持されて、収納状態が保持されるものである。
【００２７】
さらに、リフトテーブル７１と紙幣処理装置１内部の所定の位置との間には引張スプリング７９を配設して、リフトテーブル７１の下面がスタックガイド９より上方に位置するように常時付勢しており、これによって、スタックローラ７６が傾斜面７７ａによって押圧されていない状態においては、リフトテーブル７１が紙幣搬送路４内に突出しないようにしている。
【００２８】
上述のとおり、本発明のスタックアーム７７は、図１に示す待機状態において、スタックローラ７６との間に間隙を設けており、スタックアーム７７の図示右方向への移動開始から遅れて、傾斜面７７ａがスタックローラ７６に当接するようにしている。
【００２９】
また、スタックアーム７７にリフトテーブル７１の移動方向に直交する方向に突出するリブ状の突起部７７ｂを形成し、リフトテーブル７１の上面に門形状の受部７７ａを形成しており、待機状態においては、突起部７７ｂが受部７１ａに嵌合してリフトテーブル７１が下方に移動しないようにロックし、スタックアーム７７が図示左方にスライド移動することによってロックを解除するようにしている。
【００３０】
次に、上述の如く構成された紙幣処理装置１の各部の作用を紙幣収納動作として説明する。
【００３１】
紙幣挿入口２内に挿入された紙幣が、図示せぬセンサによって紙幣の挿入を検出されると、図示せぬモータ等の搬送駆動手段によって、搬送ベルト３１および搬送ローラ３２が図示矢印方向に駆動し、紙幣は紙幣搬送路４に沿って紙幣処理装置１内部に搬送される。
【００３２】
紙幣搬送路４を通過する紙幣は、紙幣搬送路４途中に設けられる紙幣識別部５において、図示せぬ紙幣識別手段によって真偽を判別される。
【００３３】
ここで、紙幣が偽券と判断された場合は、その判定信号に基づいて、搬送ベルト３１および搬送ローラ３２が逆転し、偽券と判断された紙幣を紙幣挿入口２から返却される。
【００３４】
紙幣識別部５において真券と判断された紙幣は、紙幣搬送手段３によって紙幣搬送路４のさらに下流へ搬送され、収納待機位置における一対のスタックガイド９の図示せぬスリットによって、紙幣の長手方向側縁を把持されながら収納待機位置に達する。
【００３５】
紙幣が収納待機位置に達すると、紙幣停止位置制御手段６が、搬送紙幣の位置を検出する図示せぬセンサからの情報に基づいて、紙幣搬送手段３の動作を制御し、紙幣を収納待機位置に停止させる。
【００３６】
そして、搬送紙幣が収納待機位置に停止している状態において、図示せぬ自動販売機の商品の購入が可能になる。
【００３７】
なお、搬送紙幣が紙幣搬送路４内を搬送されて収納待機位置に到達するまでの間、紙幣収納手段７はその作動を停止し、図１に示した初期位置に待機した状態を維持している。
【００３８】
この際、スタックアーム７７の突起部７７ｂは  リフトテーブル７１の受部７１ａに嵌合しているので、リフトテーブル７１の上下方向の動作はロックされた状態を維持する。
【００３９】
商品が購入されると、紙幣収納手段７の図示せぬモータが駆動してモーターカム７８を回転させ、モーターカム７８に連動してスタックアーム７７が図示右方に移動を開始する。
【００４０】
スタックアーム７７が図示右方にスライド移動すると、スタックアーム７７の突起部７７ｂが、リフトテーブル７１の受部７１ａから抜けて、リフトテーブル７１のロックが解除され、図２に示すように、スタックアーム７７の傾斜面７７ａがスタックローラ７６に当接する。
【００４１】
さらにスタックアーム７７が図示右方にスライド移動すると、スタックアーム７７の傾斜面７７ａがスタックローラ７６を押圧し、スタックローラ７６が下方に移動することによって、リフトテーブル７１が引張スプリング７９の引張力に抗して下方に移動する。
【００４２】
紙幣の上面がリフトテーブル７１に当接し、紙幣がリフトテーブル７１によって下方に押圧されると、紙幣の長手方向側縁部がスタックガイド９によって湾曲され、さらにリフトテーブル７１が下方に移動してスタックプレート８２に達すると、紙幣をリフトテーブル７１とスタックプレート８２とによって押圧挟持しながら移動を継続し、紙幣の長手方向側縁がスタックガイド９から外れて、紙幣全体がスタッカー８１内に押し込まれる。
【００４３】
紙幣の移動はさらに継続し、図３に示すスタックアーム７７およびリフトテーブル７１の最大移動位置まで到達すると、スタックアーム７７は最大移動位置から逆行を開始して図示左方にスライド移動し、スタックローラ７６の下方への押圧力が減少して、引張スプリング７９の引張力によってリフトテーブル７１は上方に移動する。
【００４４】
紙幣はリフトテーブル７１とスタックプレート８２とによって押圧挟持されながら上方に移動し、再度スタックガイド９に達すると、紙幣の長手方向側縁部の上面がスタックガイド９の下面に当接して、紙幣およびスタックプレート８２は移動を停止し、紙幣はスタックプレート８２によってスタックガイド９に押し付けられた状態でスタッカー８１内に収納される。
【００４５】
その後、スタックアーム７７の傾斜面７７ａがスタックローラ７６から離れると、リフトテーブル７１はスタックガイド９のより上方の初期位置に復帰する（図２参照）。
【００４６】
さらに、スタックアーム７７が図示左方にスライド移動すると、スタックアーム７７の突起部７７ｂが、リフトテーブル７１の受部７１ａに嵌合し、リフトテーブルの上下動作がロックされて、紙幣収納手段７は、図１に示す初期位置に復帰する。
【００４７】
以上、詳述したが如く、真券であると判定された紙幣は上述した手順により順次スタッカー８１内に積載収納される。
【００４８】
このように、本発明の紙幣処理装置では、スタックアームのスライド運動に伴って、待機状態においては、スタックアームに形成したリブ状の突起部がリフトテーブルに形成した門形状の受部に嵌合して、リフトテーブルの待機状態を維持するようにしている。
【００４９】
スタックアームのスライド運動の方向は、リフトテーブルが紙幣搬送路内に突出する方向と略直交する方向であるので、リフトテーブルの待機状態を維持する力は、引張スプリングの引張力に比べて非常に大きなものとなる。
【００５０】
したがって、外部からの衝撃や組立誤差によってリフトテーブルが待機状態から移動するのを確実に防止することができる。
【００５１】
また、引張スプリングの引張力を大きくする必要がないので、スタックアームの駆動力を大きくする必要がなく、装置全体の小型軽量化に寄与し、収納紙幣を増加させることが可能である。
【００５２】
なお、本発明は、紙幣搬送路を鉛直方向に具え、リフトテーブルの移動方向が水平方向である紙幣収納手段を有する紙幣処理装置であっても適用可能である。
【符号の説明】
【００５３】
１    紙幣処理装置
２    紙幣投入口
３    紙幣搬送手段
３１  紙幣搬送ベルト
３２  従動ローラ
４    紙幣搬送路
５    紙幣識別部
６    紙幣停止位置制御手段
７    紙幣収納手段
７１  リフトテーブル
７２  リンク機構
７３  駆動手段
７４  第１のリンクアーム
７５  第２のリンクアーム
７６  スタックローラ
７７  スタックアーム
７８  モーターカム
７９  引張スプリング
８    紙幣収納部
８１  スタッカー
８２  スタックプレート
８３  圧縮スプリング
９    スタックガイド
【図１】
0006005979.tif 000002
【図２】
0006005979.tif 000003
【図３】
0006005979.tif 000004